(57)【特許請求の範囲】
【請求項１】
取付板に開設される球入口と、前記球入口に設けられる開閉自在な開閉扉と、前記取付板の後側の入賞領域に設けられる特定入賞口及び一般入賞口と、前記特定入賞口と前記一般入賞口の間に配置されかつ前記球入口から流入したパチンコ球を前記特定入賞口又は前記一般入賞口へ振り分け誘導する振分け部材と、を備えた入賞装置であって、
前記振分け部材は、前面側が上下方向へ往復回動するようにその後部で軸支され、前記振分け部材の後側に横向きに配置され進退動するプランジャーにより該振分け部材を作動させる第一ソレノイドを設け、前記振分け部材の前面には、一方向へ回動したとき、前記パチンコ球を前記特定入賞口へ導く第一誘導面部及び前記一般入賞口を塞ぐ第一阻止片部と、他方向へ回動したとき、前記パチンコ球を前記一般入賞口へ導く第二誘導面部及び前記特定入賞口を塞ぐ第二阻止片部と、を設けたことを特徴とするパチンコ遊技機の入賞装置。
【発明の詳細な説明】
【０００１】
【発明の属する技術分野】
本発明は、入賞領域に、球入口から流入したパチンコ球を特定入賞口又は一般入賞口へ振り分け誘導する振分け部材を配置してなり、特定入賞口への入賞確率の規制をクリアできるようにしたパチンコ遊技機の入賞装置に関するものである。
【０００２】
【従来の技術】
一般に、この種の入賞装置では、賭博性を少なくするという目的で、球入口から入賞領域へ流入したパチンコ球の内、特定入賞口へ入るパチンコ球の入賞確率が１／３以下となるように規制されており、その条件を満たすべく、多くのタイプの入賞装置が開発されている。この内、例えば、横長な入賞領域の一端に特定入賞口を形成すると共に、他端に一般入賞口を形成し、特定入賞口と一般入賞口との間に、中央に支軸を有する球受部材を配置し、揺動手段によって横方向で一方または他方へ傾斜させるようにした入賞装置がある。この入賞装置によれば、揺動手段を制御することで、特定入賞口へのパチンコ球の入賞確率を設定できるようになっている。
【０００３】
【発明が解決しようとする課題】
しかしながら、前記入賞装置にあっては、揺動手段を制御し球受部材の上面を横方向に傾斜させることによって、特定入賞口または一般入賞口にパチンコ球を導くようにしているので、例えば、特定入賞口に一個のパチンコ球が入賞した後、入賞領域へ流入する残りのパチンコ球を一般入賞口へ入賞させるべく球受部材を切り替え一般入賞口側へ傾斜させても、入賞領域にパチンコ球が勢いよく飛入した場合、そのパチンコ球がその傾斜に逆らって特定入賞口に入賞してしまうことがあり、前記規制をクリアできるものではなかった。また、前記球受部材の距離、すなわち特定入賞口と一般入賞口との間の距離は、機能的に比較的長く成形する必要があり、このため入賞装置が大型化して扱いにくいばかりか、遊技盤面に占めるスペース的割合が広くなり、可変表示装置や始動入賞口など他の盤面部品の配置に制約が課せられるといった問題も生じている。
【０００４】
そこで、本発明は上記課題を解決すべくなされたもので、特定入賞口と一般入賞口への振り分けが正確に行なえ、特定入賞口への入賞確率の規制をクリアでき、しかも、入賞装置自体も全体にコンパクトに成形でき、更には振分け部材の動作が斬新で遊技の興趣も高められるパチンコ遊技機の入賞装置を提供することを目的とするものである。
【０００５】
【課題を解決するための手段】
かかる目的を達成するため、本発明に係るパチンコ遊技機の入賞装置は、取付板に開設される球入口と、前記球入口に設けられる開閉自在な開閉扉と、前記取付板の後側の入賞領域に設けられる特定入賞口及び一般入賞口と、前記特定入賞口と前記一般入賞口の間に配置されかつ前記球入口から流入したパチンコ球を前記特定入賞口又は前記一般入賞口へ振り分け誘導する振分け部材と、を備えた入賞装置であって、前記振分け部材は、前面側が上下方向へ往復回動するようにその後部で軸支され、前記振分け部材の後側に横向きに配置され進退動するプランジャーにより該振分け部材を作動させる第一ソレノイドを設け、前記振分け部材の前面には、一方向へ回動したとき、前記パチンコ球を前記特定入賞口へ導く第一誘導面部及び前記一般入賞口を塞ぐ第一阻止片部と、他方向へ回動したとき、前記パチンコ球を前記一般入賞口へ導く第二誘導面部及び前記特定入賞口を塞ぐ第二阻止片部と、を設けた構成からなる。
【０００６】
このように、本発明に係る入賞装置は、前記振分け部材を、前面側が上下方向へ往復回動するようにその後部で軸支し、前記振分け部材の前面には、一方向へ回動したとき、前記パチンコ球を特定入賞口へ導く第一誘導面部及び一般入賞口を塞ぐ第一阻止片部と、他方向へ回動したとき、前記パチンコ球を一般入賞口へ導く第二誘導面部及び特定入賞口を塞ぐ第二阻止片部と、を設けてなるので、入賞領域に流入したパチンコ球は、前記振分け部材により特定入賞口又は一般入賞口へ正確に振り分けられ、特定入賞口への入賞確率の規制をクリアできる。また、前記振分部材は、上下方向へ往復回動するように軸支されていることから、狭いスペースにも配置でき、これにより入賞装置全体がコンパクト化する。
更に、前記振分け部材の動作が斬新であることから、遊技の興趣を高めることができる。なお、この場合は、例えば、開閉扉を透明な部材により成形すると共に前記振分け部材を所望の色に着色するなど、少なくとも外部から視認できるようにしておくことが望ましい。
【０００７】
【発明の実施の形態】
以下、本発明に係るパチンコ遊技機の入賞装置の実施の形態を図面と共に説明する。図１は、本発明が適用される入賞装置の斜視図、図２は、同分解斜視図、図３は平面断面図、図４は図３のＸ−Ｘ線断面図である。図において、Ａは、入賞装置であり、後記する遊技盤４０の前面に取り付ける取付板１を有する。この取付板１には、その中央部分に横長の球入口２が開設され、裏面に球入口２を囲う箱枠３が一体に成形されている。
【０００８】
前記球入口２には、開閉自在な開閉扉４が設けられる。更に、詳しくは、前記開閉扉４の下部両側に筒部４ａが形成され、この筒部４ａに前記箱枠３の前面下縁に取り付けられる金属製の軸ピン５が嵌挿される。これにより、開閉扉４が図４に示すように前側へ回動自在に軸支される。また、開閉扉４の内側面には、その上面に載り球入口２内へ流入するパチンコ球をその中央へ誘導する平面ハ字状の誘導突条６が設けられている。
【０００９】
前記箱枠３は、その内部に、前記球入口２と連通する誘導領域７と仕切り壁８を隔ててその後側に隣接する入賞領域９とが設けられている。前記仕切り壁８には、パチンコ球が一個通過できる球通口１０が開設され、この球通口１０を介し前記誘導領域７と入賞領域９が連通する。前記誘導領域７の底面１１は、中央部に位置して最も低くしかも後方へ下傾する溝状の中央底面１１ａと、その両側に位置し中央底面１１ａ側に下傾する横底面１１ｂとからなり、中央底面１１ａは、前記球通口１０を介しそのまま入賞領域９内まで達している。そして、入賞領域９内には、中央底面１１ａの両横に位置してそれぞれ特定入賞口１２ａと一般入賞口１２ｂが設けられ、その間の中央底面１１ａの奥端部に本発明に係る振分け部材１３が配置されている。振分け部材１３は、後記する第一ソレノイド１６により作動し、中央底面１１ａに沿って入賞領域９へ流入してきたパチンコ球を特定入賞口１２ａ又は一般入賞口１２ｂのいずれかに振り分けるようにしている。
【００１０】
前記箱枠３の裏側には、両端部をその裏面にビス１４止めすることによって平面コ字型をなす金属製の囲い枠１５が固着されている。囲い枠１５の内面一側に、第一ソレノイド１６が固着され、他側に前記開閉扉４を作動させる第二ソレノイド１７が固着されている。第一・第二ソレノイド１６，１７は、いずれも横向きに配置され、入賞装置Ａ全体の高さ寸法が極力短くなるようにしてある。これは、遊技盤４０面の特に上下方向で入賞装置Ａが他の盤面部品と互いに緩衝しあわないように、前記入賞装置Ａをできるかぎりコンパクト化したいという要請に応えるためである。また、周側面を囲い枠１５の内面に密着するようにして第一・第二ソレノイド１６，１７がそれぞれ固定されるが、これは作動時に発生する熱によって第一・第二ソレノイド１６，１７が故障しないように、前記囲い枠１５を放熱板として利用し、放熱面積を広げて放熱効果を上げようとするためである。
【００１１】
前記振分け部材１３は、その後部に横向きの軸孔１８が貫設され、この軸孔１８に、前記箱枠３の裏面に突設される二枚の支持片１９，１９間に水平かつ横方向に差渡された支軸２０が挿通される。これにより、振分け部材１３が、前記支軸２０に軸支されて前面側が上下方向へ往復回動するようになる。また、振分け部材１３の前面には、図７に示すように一側の上隅角部２１ｂと他側の下隅角部２１ａを結んだほぼ対角線を境にして、その上側に第一誘導面部２２ａが形成されると共に下側に第二誘導面部２２ｂが形成される。第一・第二誘導面部２２ａ，２２ｂは共に凹弧面をなす。
【００１２】
また、第一阻止片部としての前記一側の上隅角部２１ｂと第二阻止片部としての他側の下隅角部２１ａは、いずれも前方へ張り出させて設けられており、これら部位に、前記振分け部材１３が下方向へ回動したとき、略水平面となる段部２１ｃが設けられている。このとき、一側の上隅角部２１ｂの段部２１ｃと中央底面１１ａとの間の距離はパチンコ球が通過し得ないようにその直径寸法よりも短く、他側の下隅角部２１ａの段部２１ｃはパチンコ球が通過し得るように前記中央底面１１ａと面一となるようになっている。また、前記振分け部材１３が上方向へ回動したとき、前記一側の上隅角部２１ｂの段部２１ｃと中央底面１１ａとの間の距離は、パチンコ球が通過し得るようにその直径寸法よりも長くなり、他側の下隅角部２１ａの段部２１ｃはパチンコ球が通過し得ないように前記中央底面１１ａより上方に位置している。
【００１３】
前記第一誘導面部２２ａは、振分け部材１３が下方向へ回動したとき、入賞領域９へ流入するパチンコ球Ｂを特定入賞口１２ａへ導くことができるように設定される。また、このとき、一般入賞口１２ｂは上隅角部２１ｂによって塞がれ、前記パチンコ球Ｂが誤って一般入賞口１２ｂに入賞することはない。一方、前記第二誘導面部２２ｂは、振分け部材１３が上方向へ回動したとき、入賞領域９へ流入するパチンコ球Ｂを一般入賞口１２ｂへ導くことができるように設定される。また、このとき、特定入賞口１２ａは下隅角部２１ａによって塞がれ、前記パチンコ球Ｂが誤って特定入賞口１２ａに入賞することはない。
【００１４】
前記第一ソレノイド１６は、プランジャー１６ａの前端に、平面Ｌ型の係止部材２３が取り付けられると共にその腕部２３ａの内面に係合ピン２４が突設されている。一方、前記振分け部材１３の近傍であって、箱枠３の後面に図５、図７に示すように後方へ突出する支持ピン２５ａが設けられ、該支持ピン２５ａにクランク部材２６が回動自在に軸支される。そして、このクランク部材２６の一側に前記振分け部材１３の後面に設けられた突片２７が係合する二股係合部２８が設けられ、他側に前記係止部材２３の係合ピン２４が嵌挿される長孔２９が設けられている。
【００１５】
そこで、第一ソレノイド１６が消磁しているときは、図８（ａ）に示すようにそのプランジャー１６ａが圧縮コイルバネ１６ｂの付勢により矢視方向へ突出し、クランク部材２６を図８（ａ）の矢視方向へ回動させ、前記振分け部材１３の突片２７を下向きに回動させる。これにより、振分け部材１３が図８（ａ）の矢視方向のように上方向へ回動し、第二誘導面部２２ｂにより入賞領域９に流入するパチンコ球を一般入賞口１２ｂへ案内すると共に、一側の下隅角部２１ａにより前記パチンコ球の特定入賞口１２ａへの流入を阻止する。
【００１６】
また、第一ソレノイド１６が励磁すると、図８（ｂ）に示すようにそのプランジャー１６ａが圧縮コイルバネ１６ｂの付勢に抗して矢視方向へ後退し、クランク部材２６を図８（ｂ）の矢視方向へ回動させ、前記振分け部材１３の突片２７を上向き回動させる。これにより、振分け部材１３が図８（ｂ）の矢視方向のように下方向へ回動し、第一誘導面部２２ａにより入賞領域９に流入するパチンコ球を特定入賞口１２ａへ案内すると共に、他側の上隅角部２１ｂにより前記パチンコ球の一般入賞口１２ｂへの流入を阻止する。この状態で、第一ソレノイド１６が消磁すると、前記振分け部材１３が図８（ａ）に示す元の位置に復帰するようになっている。
【００１７】
前記第二ソレノイド１７は、図６に示すようにそのプランジャー１７ａが前方向へ突出するようになっており、該プランジャー１７ａの先端に前記と同様な係止部材２３が取り付けられる。この係止部材２３も、その腕部２３ａの内面に係合ピン２４が突設されている。箱枠３の後側であって前記係止部材２３の近傍に、支持ピン２５ｂが水平かつ横方向に突設され、該支持ピン２５ｂにクランク部材２６が前後方向へ自在に回動するように軸支されている。このクランク部材２６の下側に、前記開閉扉４の一側面に突設される係止ピン３０が係合する二股係合部２８ａが設けられ、上側には前記係止部材２３の係合ピン２４が嵌挿される長孔２９が設けられている。
【００１８】
そして、第二ソレノイド１７が消磁しているときは、図６実線に示すようにそのプランジャー１７ａが圧縮コイルバネ１７ｂの付勢により突出し、クランク部材２６の支持ピン２５ｂより下部を後方向へ回動させ、前記開閉扉４の係止ピン３０を下方向へ回動させている。これにより、開閉扉４が上方向へ回動して球入口２を閉成している。また、第二ソレノイド１７が励磁すると、図６鎖線に示すように、そのプランジャー１７ａが圧縮コイルバネ１７ｂの付勢に抗して後退し、クランク部材２６の支持ピン２５ｂより下部を前方向へ回動させ、前記開閉扉４の係止ピン３０を上方向へ回動させる。これにより、開閉扉４が前方向へ回動して球入口２を開成し、パチンコ球が受入れ易い状態となる。
【００１９】
前記取付板１の前面には、球入口２の両側に前方へ突出する飾り部３３が設けられ、その内部に通常の入賞口３４が設けられている。これらと対応して、前記取付板１に通口３５が開設され、取付板１の裏側には前記通口３５と連通する誘導樋３６が設けられている。前記特定入賞口１２ａや一般入賞口１２ｂ、更には前記入賞口３４には、入賞したパチンコ球を検出するための球検出器３７が取り付けられている。
【００２０】
図９は、以上説明した本発明に係る入賞装置Ａが適用されるパチンコ遊技機の正面図である。このパチンコ遊技機Ｐにおける遊技盤４０の前面に、ガイドレール４１で囲まれる遊技部４０ａが形成され、その遊技部４０ａのほぼ中央に可変表示装置４２が装着されている。また、前記可変表示装置４２の下方に始動入賞口４３が設けられると共にその下方に本発明に係る入賞装置Ａが装着されている。前記可変表示装置４２は、３桁のデジタル表示部４２ａを有する。
【００２１】
次に、本発明に係る入賞装置Ａの作用を説明する。遊技盤４０の遊技部４０ａに打ち込まれたパチンコ球が、始動入賞口４３に入賞してその内部の球検出器４４で検出されると、その検出信号によつて前記可変表示装置４２のデジタル表示部４２ａのデジタルが変動し、一定時間が経過するとその変動を停止する。そして、その停止時の表示が、あらかじめ設定された表示（例えば「１，１，１」，「７，７，７」等のぞろ目）に揃うと所謂「大当り」という遊技者にとって有利な特別遊技状態になり、入賞装置Ａの第二ソレノイド１７が励磁して、開閉扉４を一定時間（例えば約３０秒）又は一定個数（例えば１０個）のパチンコ球が入賞するまで開成する。そして、その間に入賞領域９の特定入賞口１２ａにパチンコ球が入賞することを条件に、前記開閉扉４の開成動作が所定サイクル（例えば１６回）継続されることになって遊技者に多大な利益が与えられるようになっている。
【００２２】
また、前記入賞装置Ａにあっては、特定入賞口１２ａへの入賞確率が規制されていることから、前記各サイクルでの特定入賞口１２ａへのパチンコ球の入賞は一個に限られ、残りのパチンコ球はすべて一般入賞口１２ｂへ入賞されるように設定されている。なお、前記特定入賞口１２ａに入賞させるパチンコ球の個数は、前記規制された入賞確率を正しく遵守する範囲内で適宜選択できること勿論である。
【００２３】
常時は、第一ソレノイド１６が消磁しており、振分け部材１３は図８（ａ）に示すように上方を向き第二誘導面部２２ｂが正面を向く位置で停止している。そして、特別遊技状態になり、入賞装置Ａの開閉扉４が前方に回動して球入口２が開成すると、正確にはその球入口２が開成する少し前に第一ソレノイド１６が励磁する。これにより、振分け部材１３は下方向へ回動して第一誘導面部２２ａが正面を向く。また、前記開閉扉４の上面で受け止められたパチンコ球Ｂは誘導突条６によりその中央へ導かれ、中央底面１１ａに沿って球通路１０から入賞領域９内に流入する。その内、最先に流入したパチンコ球Ｂは、図８（ｂ）に示すように振分け部材１３の第一誘導面部２２ａに当接し、この第一誘導面部２２ａに沿って特定入賞口１２ａへ誘導される。入賞したパチンコ球Ｂは、球検出器３７により検出される。この際、一側の上隅角部２１ｂの段部２１ｃと中央底面１１ａとの間の距離は、パチンコ球Ｂが通過し得ない寸法になっているので、パチンコ球Ｂの一般入賞口１２ｂへの入賞は阻止される。
【００２４】
前記特定入賞口１２ａの球検出器３７によって、前記最先のパチンコ球Ｂが検出されると、その信号により速やかに第一ソレノイド１６が消磁される。これにより、振分け部材１３が上方向へ回動して元の位置に戻り、第二誘導面部２２ｂが正面を向く。よって、前記最先のパチンコ球Ｂの後に入賞領域９へ流入してくるパチンコ球Ｂは、図８（ａ）に示すように総て第二誘導面部２２ｂに当接し、この第二誘導面部２２ｂに沿って一般入賞口１２ｂへ誘導される。そして、これら入賞したパチンコ球Ｂは、球検出器３７により検出される。また、この場合、他側の下隅角部２１ａの段部２１ｃが、前記中央底面１１ａより上方に位置しているので、パチンコ球Ｂの特定入賞口１２ａへの入賞は阻止される。
【００２５】
このように、本発明に係る入賞装置Ａは、特別遊技状態になって開閉扉４が回動し球入口２が開成しているとき、例えば入賞領域９へ流入したパチンコ球のうち、その最先の一個のパチンコ球が特定入賞口１２ａに入賞すると、直ちに振分け部材１３を回動させて特定入賞口１２ａへの入賞を阻止するようにしたので、特定入賞口１２ａへの入賞確率の規制をクリアすることができる。また、振分け部材１３は、上下方向へ往復回動するように軸支されていることから、特定入賞口１２ａと一般入賞口１２ｂとの間の距離が短くても機能し、狭いスペースに配置できる。
【００２６】
なお、本実施の形態では、振分け部材１３が下方向へ回動したとき、第一誘導面部２２ａによりパチンコ球を特定入賞口１２ａへ誘導し、振分け部材１３が上方向へ回動したとき、第二誘導面部２２ｂによりパチンコ球を一般入賞口１２ｂへ誘導するようにしたが、逆に、第一誘導面部２２ａと第二誘導面部２２ｂとを入れ替えると共に、特定入賞口１２ａと一般入賞口１２ｂとを入れ替え、振分け部材１３が上方向へ回動したとき、第一誘導面部２２ａによりパチンコ球を特定入賞口１２ａへ誘導し、振分け部材１３が下方向へ回動したとき、第二誘導面部２２ｂによりパチンコ球を一般入賞口１２ｂへ誘導するようにしても良い。
【００２７】
【発明の効果】
以上説明したように、本発明に係るパチンコ遊技機の入賞装置は、振分け部材を、前面側が上下方向へ往復回動するようにその後部で軸支し、前記振分け部材の前面には、一方向へ回動したとき、パチンコ球を特定入賞口へ導く第一誘導面部及び一般入賞口を塞ぐ第一阻止片部と、他方向へ回動したとき、パチンコ球を一般入賞口へ導く第二誘導面部及び特定入賞口を塞ぐ第二阻止片部と、を設けてなるので、入賞領域に流入したパチンコ球は、前記振分け部材により特定入賞口又は一般入賞口へ正確に振り分けられ、特定入賞口への入賞確率の規制をクリアすることができる。また、前記振分け部材は、上下方向へ往復回動するように軸支されていることから、狭いスペースにも配置でき、これにより入賞装置全体がコンパクト化するという効果がある。更に、前記振分け部材の動作は斬新であることから、遊技の興趣を高めることができるという効果がある。
【図面の簡単な説明】
【図１】  本発明に係る入賞装置の斜視図。
【図２】  同分解斜視図。
【図３】  同平面断面図。
【図４】  図３におけるＸ−Ｘ線断面図。
【図５】  図３におけるＹ−Ｙ線断面図。
【図６】  図３におけるＺ−Ｚ線断面図。
【図７】  第一ソレノイドと振分け部材部位の分解斜視図。
【図８】  （ａ）振分け部材の作用説明図。
（ｂ）振分け部材の作用説明図。
【図９】  本発明が適用されるパチンコ遊技機の正面図。
【符号の説明】
１                取付板
２                球入口
４                開閉扉
９                入賞領域
１２ａ            特定入賞口
１２ｂ            一般入賞口
１３              振分け部材
１６              第一ソレノイド
１６ａ            プランジャー
２１ａ            第二阻止片部（他側の下隅角部）
２１ｂ            第一阻止片部（一側の上隅角部）
２２ａ            第一誘導面部
２２ｂ            第二誘導面部
Ａ                入賞装置
Ｂ                パチンコ球
【図１】
0003851564.tif 000002
【図２】
0003851564.tif 000003
【図３】
0003851564.tif 000004
【図４】
0003851564.tif 000005
【図５】
0003851564.tif 000006
【図６】
0003851564.tif 000007
【図７】
0003851564.tif 000008
【図８】
0003851564.tif 000009
【図９】
0003851564.tif 000010